(57)【特許請求の範囲】
【請求項１】
水洗便器本体に内蔵されてボウルから延びる排水管にトラップ部を連通した水洗便器の洗浄構造であって、
外部排水管に連結するケース体内に収容された前記トラップ部は、一端が前記排水管に固定される固定端で、他端が回転軸を中心として回転する回転アームによって上方と略水平間で反転自在な自由端に形成され、
便器本体ボウルに給水する給水弁を備えるとともに、用便後に前記回転軸を回転させて前記トラップ部の前記自由端を上方から略水平に回転した後、前記自由端を上方に反転して初期位置としての上限位置で停止することで溜め水を前記上限位置まで到達させ、再度前記自由端を上方位置と略水平位置の中間位置まで回転して前記トラップ部内の浮遊残汚物を流し出し、前記トラップ部の自由端を上方に回転して溜め水を前記上限位置まで満たす電動駆動手段を備えることを特徴とする水洗便器の洗浄構造。
【請求項２】
水洗便器本体に内蔵されてボウルから延びる排水管にトラップ部を連通した水洗便器の洗浄方法であって、
外部排水管に連結するケース体内に収容された前記トラップ部は、一端が前記排水管に固定される固定端で、他端が回転軸を中心として回転する回転アームによって上方と略水平間で反転自在な自由端に形成され、
前記回転軸を電動で回転させる電動駆動手段を備えるとともに、この電動駆動手段と便器本体ボウルに給水する給水弁とを制御して、用便後に前記トラップ部の前記自由端を上方から略水平に回転した後、前記自由端を上方に反転して初期位置としての上限位置で停止することで溜め水を前記上限位置まで到達させ、再度前記自由端を上方位置と略水平位置の中間位置まで回転して前記トラップ部内の浮遊残汚物を流し出し、前記トラップ部の自由端を上方に回転して溜め水が上限位置まで満たされることを特徴とする水洗便器の洗浄方法。
【発明の詳細な説明】
【技術分野】
【０００１】
本発明は、自由端が反転自在なトラップ部を有する水洗便器に関し、用便後にトラップ部の溜め水に残る浮遊残汚物を効率よく排出することができる水洗便器の洗浄構造および洗浄方法に関するものである。
【背景技術】
【０００２】
従来、水洗便器本体に内蔵されてボウルから延びる排水管にトラップ部を連通した水洗便器として、例えば、特許文献１の内容が知られている。
【０００３】
図４に示すように、特許文献１の水洗便器５０は、図示しない便器本体のボウルから延びる排出管部５０ａに一端が固定端５５として連通されるとともに他端を自由端５１とする可動トラップ部５３を備える。可動トラップ部５３は外部排水管５２と連結するケース体５６の内部に収容され、外部排水管５２は床下に導かれる。この可動トラップ部５３の自由端５１は、自由端５１に連結された回転アーム６０によって、モータ駆動の回転軸５８によって矢印Ａで示すように上下方向に回転自在である。
【０００４】
そして、モータ駆動の回転軸５８と便器本体ボウルに給水する図示しない給水弁とを制御して、通常の溜め水時には上向き位置にある可動トラップ部５３の自由端５１を矢印Ｂで示すように反転させて傾け、矢印Ｃで示すように自由端５１から排水をオーバーフロー水として流れ出るようにするセルフクリーニング機構を備える。
【０００５】
セルフクリーニング機構は、可動トラップ部５３の外側部の洗浄をするために、手動スイッチによるセルフクリーニングと用便後に自動的に行う自動セルフクリーニングを選択して実施できる。
【０００６】
このような水洗便器５０では、自由端５１が反転して外部排水管５２の位置まで下降するので、排出管部５０ａとケース体５６の排水口５６ａとの間に十分な落差Ｈが得られるので汚物が十分に洗い流せるため可動トラップ部５３内に浮遊残汚物がほとんど発生しない。
【特許文献１】特開平１１−２１００５５号公報
【発明の開示】
【発明が解決しようとする課題】
【０００７】
ところが、水洗便器の後側の床面上に外部排水管が設けられる場合がある。この場合の排水動作を図５を用いて説明する。図５（ａ）に示すように、水洗便器５０のボウル５９から延びる排出管部５０ａに可動トラップ部５３の一端が固定端５５として固定され、可動トラップ部５３の自由端５１は上方で便器本体のボウル５９内に洗浄水Ｓが溜め水状態である。排水管５２ａは床面５７上に導かれる。
【０００８】
図５（ｂ）に示すように、用便後に可動トラップ部５３の自由端５１を略水平状態にして排水する。そして、図５（ｃ）に示すように、可動トラップ部５３の自由端５１が上方に戻り、図５（ｄ）に示すように、可動トラップ部５３内が溜め水状態になる。
【０００９】
ここで、排水管５２ａが床面５７上に設けられるので、図５（ｂ）における便器本体の排出管部５０ａと可動トラップ部５３の自由端５１との間の落差Ｈ１は図４の状態の落差Ｈと比べて少ないため、排水時の水勢が十分得られないので可動トラップ部５３内部に浮遊残汚物Ｔが残留することがあった。
【００１０】
本発明は、このような事情に鑑みてなされたものであり、水洗便器の後方に排水管が設けられる水洗便器で、用便後にトラップ部の溜め水に残る浮遊残汚物を効率よく確実に排出することができる水洗便器の洗浄構造および洗浄方法の提供を目的としている。
【課題を解決するための手段】
【００１１】
請求項１に記載した発明は、水洗便器本体に内蔵されてボウルから延びる排水管にトラップ部を連通した水洗便器の洗浄構造であって、外部排水管に連結するケース体内に収容された前記トラップ部は、一端が前記排水管に固定される固定端で、他端が回転軸を中心として回転する回転アームによって上方と略水平間で反転自在な自由端に形成され、便器本体ボウルに給水する給水弁を備えるとともに、用便後に前記回転軸を回転させて前記トラップ部の前記自由端を上方から略水平に回転した後、前記自由端を上方に反転して初期位置としての上限位置で停止することで溜め水を前記上限位置まで到達させ、再度前記自由端を上方位置と略水平位置の中間位置まで回転して前記トラップ部内の浮遊残汚物を流し出し、前記トラップ部の自由端を上方に回転して溜め水を前記上限位置まで満たす電動駆動手段を備えることを特徴としている。
【００１２】
請求項２に記載した発明は、水洗便器本体に内蔵されてボウルから延びる排水管にトラップ部を連通した水洗便器の洗浄方法であって、外部排水管に連結するケース体内に収容された前記トラップ部は、一端が前記排水管に固定される固定端で、他端が回転軸を中心として回転する回転アームによって上方と略水平間で反転自在な自由端に形成され、前記回転軸を電動で回転させる電動駆動手段を備えるとともに、この電動駆動手段と便器本体ボウルに給水する給水弁とを制御して、用便後に前記トラップ部の前記自由端を上方から略水平に回転した後、前記自由端を上方に反転して初期位置としての上限位置で停止することで溜め水を前記上限位置まで到達させ、再度前記自由端を上方位置と略水平位置の中間位置まで回転して前記トラップ部内の浮遊残汚物を流し出し、前記トラップ部の自由端を上方に回転して溜め水が上限位置まで満たされることを特徴としている。
【発明の効果】
【００１３】
請求項１に記載の発明によれば、用便後に前記回転軸を回転させてトラップ部の自由端を上方から略水平に回転した後、自由端を上方に反転して初期位置としての上限位置で停止することで溜め水を上限位置まで到達させ、再度前記自由端を上方位置と略水平位置の中間位置まで回転して前記トラップ部内の浮遊残汚物を流し出し、トラップ部の自由端を上方に回転して溜め水を上限位置まで満たす電動駆動手段を備えるので、用便後に溜め水を一度流しただけでは流しきれていない浮遊残汚物を、自由端を再度上方位置と略水平位置の中間位置まで回転させることにより溜め水が二度流されるので浮遊残汚物を確実に排出することができる。
【００１４】
請求項２に記載の発明によれば、請求項１に記載の発明と同様の効果が得られる。
【発明を実施するための最良の形態】
【００１５】
以下に、本発明の実施形態を図１〜図３に基づいて説明する。
【００１６】
＜水洗便器の洗浄構造の構成＞
図１に示すように、本実施形態の水洗便器３０は、水洗便器本体３１に内蔵されるボウル１の底部から延びる排水管３の終端に管状のトラップ部６が連通されている。
【００１７】
トラップ部６は床１８上に配置される外部排水管４に連結するケース体８内に収容される。トラップ部６の一端部は排水管３に固定端として固定され他端は自由端９で、この自由端９に固定される支持部材９ａがトラップ部６の外側に対称的に配設された回転自在の一対のアーム１０ａの先端に連結される。
【００１８】
ここで、回転軸１５ａを回転する電動駆動手段１３はモータ１２と第一ギア１４と第二ギア１５ａとで構成され、図示しない便器洗浄スイッチの起動によってモータ１２を回転して第一ギア１４と第二ギア１５を駆動し、第二ギア１５の回転軸１５ａに連結する一対のアーム１０ａに回転力が伝達される。
【００１９】
このように、水洗便器３０の排水路は、排水管３、トラップ部６、ケース部８および外部排水管４によって形成され、回転軸１５ａを介して上下方向に回転するトラップ部６の自由端９が下方回転した状態においてトラップ部６は略水平状態である。なお、便器本体ボウル２に給水する給水弁２０を水洗便器本体３１に備える。
【００２０】
トラップ部６は蛇腹状のホース７で形成され、ホース７の材質は弾力性に優れて伸縮および屈曲自在な、樹脂、ゴム等の材質が採用される。  
図２、図３を用いてトラップ部６の動作を説明するが、図３において「図２における各状態との対応位置」が示されるので、図２の動作説明に図３の内容が含まれるので図３の説明は省略する。なお、トラップ部６の動作は便器洗浄スイッチを一度押すだけで図示しない内部リレー回路により図２（ａ）から図２（ｆ）まで連続的に実施される。
【００２１】
図２（ａ）に示すように、通常時には、トラップ部６の自由端９が上方を向いた状態で、ボウル内部には自由端９の高さまで洗浄水Ｓが溜っている状態である。
【００２２】
図２（ｂ）に示すように、用便後に便器洗浄スイッチを押すとモータ１２が正転してトラップ部６が略水平状態となり自由端９が便器後方の外部排水管４の位置で停止するので汚物は溜水である洗浄水Ｓとともに外部排水管４に排出される。なお、図２（ｂ）から図２（ｆ）の状態に亘って、給水弁２０の作動により洗浄水Ｓはボウル１に連続的に供給される。
【００２３】
図２（ｃ）に示すように、モータ１２が逆転してトラップ部６の自由端９が上方向に回転する。この状態で浮遊残汚物Ｔが自由端９近傍に存在している。
【００２４】
しばらくして、図２（ｄ）に示すように洗浄水Ｓが上限位置に到達して初期位置としての溜め水状態に戻る。
【００２５】
図２（ｅ）に示すように、再度自由端９を上方位置と略水平位置の中間位置まで回転して溜め水Ｓを流すことで、自由端９近傍に存在している浮遊残汚物Ｔを流し出すことができる。
【００２６】
その後、図２（ｆ）に示すように、再度トラップ部６の自由端９を上方に反転して洗浄水Ｓが上限位置まで溜められる。
【００２７】
＜水洗便器の洗浄構造の作用＞
トラップ部６を動作して浮遊残汚物Ｔを洗浄水Ｓとともに便器後方に排出したのち、再度トラップ部６の自由端９を上向きに反転して洗浄水Ｓを注入した後、自由端９を再度回転して洗浄水Ｓを流すので、このトラップ部６の二度の排出動作によって浮遊残汚物Ｔを確実に流し出すことができる。
【００２８】
以上、本発明の実施例を図面に基づいて説明したが、具体的な構成はこの実施例に限られるものではなく本発明の要旨を逸脱しない範囲の設計変更等があっても本発明に含まれる。
【００２９】
たとえば、トラップ部６を動作して浮遊残汚物Ｔを洗浄水Ｓとともに便器後方に流し出す動作において、トラップ部６の二度目の排出動作は一度目と同様にトラップ部６の自由端９を略水平位置近傍まで回転させてもよい。
【００３０】
この場合、二度目のトラップ部動作におけるトラップ部６の自由端９が略水平位置に近づくほど浮遊残汚物Ｔの排出効果が向上するが使用水量も増えるので、浮遊残汚物Ｔの状況を勘案して二度目の自由端９の下方位置が設定される。
【００３１】
トラップ部動作は毎回の用便に連動する自動設定以外に手動でも動作することができる。
【図面の簡単な説明】
【００３２】
【図１】本発明の実施形態における、水洗便器３０の排出動作開始前の側面図である。
【図２】本発明の実施形態における水洗便器における、（ａ）はトラップ部６の自由端９が上方を向いた状態でボウル１内部には自由端の高さまで水が溜められている状態、（ｂ）は用便後に自由端９が略水平方向に回転して汚物が溜水とともに便器後方に排出される状態、（ｃ）は汚物が排出されたのち自由端９が上向きに反転して溜め水が注入される状態、（ｄ）は溜め水が上限位置に到達した状態、（ｅ）は再度自由端９が回転して溜め水を流す状態、（ｆ）は再度自由端９を上方に反転して水を上限位置まで満たした状態を示す側面断面図である。
【図３】本発明の実施形態における、水洗便器の便器洗浄スイッチとモータ１２と給水弁２０の動作状態、及び図２に於ける各状態との対応位置とを示す図である。
【図４】従来例における、水洗便器５０の可動トラップ部５３がその一端を排出管部５０ａに連通して他端が自由端５１の状態を示す側面図である。
【図５】従来例における水洗便器５０における、（ａ）は可動トラップ部５３の自由端５１が上方でボウル５９内部が洗浄水Ｓで溜め水状態、（ｂ）は用便後に自由端５１が略水平状態、（ｃ）は自由端５１が上方に戻った状態、（ｄ）は可動トラップ部５３内が溜め水状態の側面断面図である。
【符号の説明】
【００３３】
１  ボウル
５  外排出口
６  トラップ部
９  自由端
１２  モータ
２０  給水弁
Ｓ  水
Ｔ  浮遊残汚物
【図１】
0005468727.tif 000002
【図２】
0005468727.tif 000003
【図３】
0005468727.tif 000004
【図４】
0005468727.tif 000005
【図５】
0005468727.tif 000006